(57)【要約】【課題】各発光ダイオードの有効に光混合距離を短縮し、且つ光線を集めるバックライトモジュールの光源装置を提供する。      【解決手段】バックライトモジュールの光源装置は、直下式もしくは側光式のバックライトモジュールに応用し、その光源装置は主に複数の発光ダイオード及びライトガイド体を含む。そのライトガイド体は多角錐体の構造主体を形成し、その多角錐体底面には対応する設置側辺を設置し、その設置側辺は、複数個の発光ダイオードを定位させる。更に設置側辺は多角錐体内側向きに適する角度で傾斜し、各発光ダイオードを多角錐体の頂角に向ける。各発光ダイオードが発する光線を多角錐体の頂角に集光し、パネル光混合の均一効果を得る。【選択図】図４
0003126228.tif 000002
【実用新案登録請求の範囲】
【請求項１】
複数の光学膜片及びパネルを設置し、直下式バックライトモジュールを形成するバックライトモジュールの光源装置において、
光源装置は、主に複数の発光ダイオード及び複数のライトガイド体を含み、そのライトガイド体は多角錐体の構造主体を形成し、この多角錐体底面に対応する設置側辺を設置し、その設置側辺は複数の発光ダイオードを定位させ、且つ設置側辺は多角錐体内側向きに適する角度で傾斜し、各発光ダイオードを多角錐体の頂角に向けることを特徴とするバックライトモジュールの光源装置。
【請求項２】
光源装置側辺にライトガイド板を設置し、ライトガイド板上方に複数の光学膜片及びパネルを設置して側光式バックライトモジュールを形成するバックライトモジュールの光源装置において、
この光源装置は主に複数の発光ダイオード及び複数のライトガイド体を含み、そのライトガイド体は多角錐体の構造主体を形成し、この多角錐体底面に対応する設置側辺を設置し、その設置側辺は複数の発光ダイオードを定位させ、且つ設置側辺は多角錐体内側向きに適する角度で傾斜し、各発光ダイオードを多角錐体の頂角に向けることを特徴とするバックライトモジュールの光源装置。
【請求項３】
前記ライトガイド体は、三角錐体とすることを特徴とする請求項１もしくは２記載のバックライトモジュールの光源装置。
【請求項４】
前記各発光ダイオードは、異なる色の発光ダイオードで、例として赤色、緑色、青色の発光ダイオードとすることを特徴とする請求項１もしくは２記載のバックライトモジュールの光源装置。
【請求項５】
前記多角錐体は、その一辺底面に設置した設置側辺上に赤色、緑色、青色の発光ダイオードを設置することを特徴とする請求項１もしくは２記載のバックライトモジュールの光源装置。
【請求項６】
前記ライトガイド体の錐状斜面は、その上に複数の光学構造を設置することを特徴とする請求項１もしくは２記載のバックライトモジュールの光源装置。
【請求項７】
前記各ライトガイド体は、枠体内に組み立てることを特徴とする請求項１記載のバックライトモジュールの光源装置。
【考案の詳細な説明】
【技術分野】
【０００１】
本考案は、バックライトモジュールの光源装置に関するもので、特にバックライトモジュール内に於いて応用し、各発光ダイオードの光混合距離を有効に短縮し、且つ光線を集光するものである。
【背景技術】
【０００２】
液晶モニターは軽薄短小等の長所を具え、ノート型パソコン、携帯電話、ＰＤＡ等現代の情報設備に広く応用されている。液晶自体は、発光の特性を具えないため、バックライトモジュールを設置することにより、表示機能を得る。
【０００３】
被光モジュールは光源の所在位置に基づき、直下式バックライトモジュールと側光指揮バックライトモジュールに分かれる。直下式バックライトモジュールは、光源がパネル正下方から発し、一般に直下式バックライトモジュールの基本アーキテクチャーを図1に示したとおり、光源１１上方にパネル１２が設置され，下方には反射板１３が設置される。更に外枠１４で反射板１３を固定する。側光式バックライトモジュールは、光源がパネル側辺附近から発するもので、図２に示す。光源２１側辺にライトガイド板６１を設置し、光源２１外周辺縁にはライトカバー２２を設置する。またライトガイド板６１上のネット点構造により、光線を何度も屈折させた後、均一の光源を出す。
【０００４】
バックライトモジュールは、大部分が冷陰極管(CCFL)を採用しているが、環境保護の面から徐々に発光ダイオード(LED)に代わっている。発光ダイオードを使用したバックライトモジュールは「高精密度」、「高輝度」、「無水銀」、「高度な色再現性」等特徴を具えている。このため冷陰極管と比較して液晶パネルにはより高い付加価値が具わっている。更に無水銀は公害を防止することから、環境保護の要求に適している。しかしながら、発光ダイオードにも問題があり、例として図３に示すとおり、大型パネル３１の場合，パネル３１の両側に同時に発光ダイオード３２が排列し、必要に応じて増やす。
【考案の開示】
【考案が解決しようとする課題】
【０００５】
解決しようとする問題点は、パネル３１の面積が大きい場合、両側から発射する光源は中間線で光を混合するには距離が遠すぎ、光混合効果が良くない。図１に示す直下式発光ダイオード方式ではバックライトモジュールの厚みに制限があり、且つ発光ダイオードが点光源とする形式であるため、光混合効果は更に理想的でない点である。
【課題を解決するための手段】
【０００６】
本考案は、直下式もしくは側光式のバックライトモジュールに応用し、その光源装置は主に複数の発光ダイオード及びライトガイド体を含む。そのライトガイド体は多角錐体の構造主体を形成し、その多角錐体底面には対応する設置側辺を設置し、その設置側辺は複数個の発光ダイオードを定位させる。更に設置側辺は多角錐体内側向きに適する角度で傾斜し、各発光ダイオードを多角錐体の頂角に向ける。各発光ダイオードが発する光線を多角錐体の頂角に集光し、パネル光混合の均一効果を得ることを最も主要な特徴とする。
【考案の効果】
【０００７】
本考案のバックライトモジュールの光源装置は、各発光ダイオードの有効に光混合距離を短縮し、且つ光線を集めるという利点がある。
【考案を実施するための最良の形態】
【０００８】
本考案の主な目的は光源モジュールを提供し、各発光ダイオードの有効に光混合距離を短縮し、且つ光線を集める。
【０００９】
直下式もしくは側光式のバックライトモジュールに応用し、その光源装置は主に複数の発光ダイオード及びライトガイド体を含む。そのライトガイド体は多角錐体の構造主体を形成し、その多角錐体底面には対応する設置側辺を設置し、その設置側辺は、複数個の発光ダイオードを定位させる。更に設置側辺は多角錐体内側向きに適する角度で傾斜し、各発光ダイオードを多角錐体の頂角に向ける。各発光ダイオードが発する光線を多角錐体の頂角に集光し、パネル光混合の均一効果を得る。
【実施例】
【００１０】
本考案のバックライトモジュールの光源装置の光源装置に於いて、図４に示すとおり、光源装置４は主に複数個の発光ダイオード４２及びライトガイド体４３を含む。このライトガイド体４３は多角錐体の構造主体を形成し、図に示す実施例のとおり、ライトガイド体４３は三角錐体とする。またこの三角錐体の底面に対応する設置側辺４３１を設置し、また三角錐体の底面辺側と共に三個の設置側辺４３１を設置する。この設置側辺４３１は複数の発光ダイオード４２を定位し、且つ設置側辺４３１は多角錐体内側向きに適する角度で傾斜する。同時に図５に示すとおり、各発光ダイオード４２を多角錐体の頂角４３２に向ける。
【００１１】
具体的な実施時、各発光ダイオードは、異なる色の発光ダイオード、例として赤色、緑色、青色の発光ダイオードとする。また調整の必要に応じて異なる色の発光ダイオードの数を増やし、異なる色の光源を混合させる。図５及び図６に示すとおり、三角錐体一辺に設置した設置側辺４３１上には赤色、緑色、青色の発光ダイオード４２１、４２、４２３を設置する。また各発光ダイオードが発した光線はライトガイド体４３三角錐体の錐状斜面４３３に沿い、光線を多角錐体の頂角４３２に集め、光混合距離を有効に短縮するだけでなく、白色光均一の効果を得る。この他、ライトガイド体４３の錐状斜面４３３条には複数個の光学構造４３４を設置し、光の通路を壊して通過した光線を均一に射出させる。
【００１２】
本考案の光源装置は、直下式もしくは側光式のバックライトモジュールに応用し、図７に示すのは本考案を直下式バックライトモジュールに応用した結構指示図である。この光源装置４上方には複数の光学膜片５１及びパネル５２を設置し、直下式バックライトモジュールを形成する。そのうち、この光源装置４の複数ライトガイド体４３は、異なる形状の外観に設置し、例として四辺形(図８参照)もしくは多辺形(図９参照)のように、パネルのサイズに合わせた光源装置４に設置し、設置が完了した各ライトガイド体４３を枠体４４内に設置して定位する。
【００１３】
当然、この光源装置４は側光式バックライトモジュールに応用することもできる。図１０に示すとおり、光源装置４側辺にライトガイド板６１を設置し、またライトガイド板６１上方に複数の光学膜片６２及びパネル６３を設置する。この光源装置４により、光混合距離を有効に短縮することにより、光混合の均一効果を形成し、また設置した異なる色の発光ダイオードが白色光を形成する。
【００１４】
上述のとおり、本考案が提供するバックライトモジュールの光源装置は、法に基づき申請するもので、以上実施説明及び図示は本考案の良好な実施例であり、本考案を制限するものではない。また本考案の構造、装置、特徴等の近似、雷同するものは、すべて本考案の範囲とする。
【図面の簡単な説明】
【００１５】
【図１】公知直下式バックライトモジュールの構造指示図である。
【図２】公知側光指揮バックライトモジュールの構造指示図である。
【図３】公知大型パネル両側の入光の構造指示図である。
【図４】本考案の光源モジュールの構造立体図である。
【図５】本考案の光源モジュールの光線集光の指示図である。
【図６】本考案の光源モジュールの構造指示図である。
【図７】本考案の光源装置を直下式バックライトモジュールに応用した構造指示図である。
【図８】本考案の複数の光源モジュールを組み合わせた構造指示図である。
【図９】本考案の複数の光源モジュールを組み合わせた別の構造指示図である。
【図１０】本考案の光源装置を側光式バックライトモジュールに応用した構造指示図である。
【符号の説明】
【００１６】
１１        光源
１２        パネル
１３        反射板
１４        外枠
２１        光源
２２        ライトカバー
３１        パネル
３２        発光ダイオード
４        光源モジュール
４２        発光ダイオード
４２１        赤色発光ダイオード
４２２        緑色発光ダイオード
４２３        青色発光ダイオード
４３        ライトガイド体
４３１        設置側辺
４３２        頂角
４３３        錐状斜面
４３４        光学構造
【図１】
0003126228.tif 000003
【図２】
0003126228.tif 000004
【図３】
0003126228.tif 000005
【図４】
0003126228.tif 000006
【図５】
0003126228.tif 000007
【図６】
0003126228.tif 000008
【図７】
0003126228.tif 000009
【図８】
0003126228.tif 000010
【図９】
0003126228.tif 000011
【図１０】
0003126228.tif 000012